(57)【要約】【課題】ユーザにパークアンドライドの利用を促すことができる情報処理システムを提供する。【解決手段】情報処理システムは、出発地から目的地までのパークアンドライド経路を取得する経路取得手段と、取得した経路に含まれる駐車場にユーザが到達したことを判定する到達判定手段と、到達判定手段により駐車場に到達したことを判定した場合に、ユーザに付与するインセンティブ情報を生成するインセンティブ情報生成手段と、を備える。【選択図】  図１
2018081022.tif 000002
【特許請求の範囲】
【請求項１】
出発地から目的地までのパークアンドライド経路を取得する経路取得手段と、
前記取得した経路に含まれる駐車場にユーザが到達したことを判定する到達判定手段と、
前記到達判定手段により前記駐車場に到達したことを判定した場合に、前記ユーザに付与するインセンティブ情報を生成するインセンティブ情報生成手段と、
を備えた情報処理システム。
【請求項２】
前記経路取得手段は、前記ユーザの経路探索結果、または前記ユーザの移動履歴に基づいて、前記パークアンドライド経路を取得する、請求項１に記載の情報処理システム。
【請求項３】
出発地から目的地までのユーザの移動履歴を取得する経路取得手段と、
前記取得した移動履歴に基づいて、前記ユーザが駐車場に到達し、駐車場到達後に公共交通機関を利用していたことを判定する到達判定手段と、
前記到達判定手段により駐車場到達後に公共交通機関を利用していたことを判定した場合に、前記ユーザに付与するインセンティブ情報を生成するインセンティブ情報生成手段と、
を備えた情報処理システム。
【請求項４】
前記インセンティブ情報生成手段は、前記駐車場から前記目的地までの自動車以外の移動手段による移動距離に基づいて、前記インセンティブ情報を生成する、請求項１〜３のいずれかに記載の情報処理システム。
【請求項５】
前記インセンティブ情報生成手段は、前記駐車場から前記目的地までを自動車で移動した場合の走行距離に基づいて、前記インセンティブ情報を生成する、請求項１〜３のいずれかに記載の情報処理システム。
【請求項６】
前記インセンティブ情報生成手段は、前記出発地から前記目的地までを自動車で移動した場合の走行距離に基づいて、前記インセンティブ情報を生成する、請求項１〜３のいずれかに記載の情報処理システム。
【請求項７】
前記インセンティブ情報生成手段は、前記目的地および／または前記目的地周辺の駐車場の満空情報、または前記目的地に至る経路上の交通状況を考慮して、前記インセンティブ情報を生成する、請求項１〜６のいずれかに記載の情報処理システム。
【請求項８】
前記インセンティブ情報生成手段は、前記駐車場から前記目的地までを自動車以外の移動手段で移動した場合には、前記駐車場から前記目的地までを自動車で移動する場合よりも多くのインセンティブが付与されるように、前記インセンティブ情報を生成する、請求項４に記載の情報処理システム。
【請求項９】
コンピュータを、
出発地から目的地までのパークアンドライド経路を取得する経路取得手段、
前記取得した経路に含まれる駐車場にユーザが到達したことを判定する到達判定手段、
前記到達判定手段により前記駐車場に到達したことを判定した場合に、前記ユーザに付与するインセンティブ情報を生成するインセンティブ情報生成手段、
として機能させる情報処理プログラム。
【請求項１０】
コンピュータを、
出発地から目的地までのユーザの移動履歴を取得する経路取得手段、
前記取得した移動履歴に基づいて、前記ユーザが駐車場に到達し、駐車場到達後に公共交通機関を利用していたことを判定する到達判定手段、
前記到達判定手段により駐車場到達後に公共交通機関を利用していたことを判定した場合に、前記ユーザに付与するインセンティブ情報を生成するインセンティブ情報生成手段、
として機能させる情報処理プログラム。
【請求項１１】
通信可能に接続された複数のコンピュータによって構成される情報処理システムであって、
出発地から目的地までのパークアンドライド経路を取得する経路取得手段と、
前記取得した経路に含まれる駐車場にユーザが到達したことを判定する到達判定手段と、
前記到達判定手段により前記駐車場に到達したことを判定した場合に、前記ユーザに付与するインセンティブ情報を生成するインセンティブ情報生成手段と、
を備えた情報処理システムを機能させるために、
上記コンピュータの少なくとも１つを上記手段の少なくとも１つとして機能させるための情報処理プログラム。
【請求項１２】
通信可能に接続された複数のコンピュータによって構成される情報処理システムであって、
出発地から目的地までのユーザの移動履歴を取得する経路取得手段と、
前記取得した移動履歴に基づいて、前記ユーザが駐車場に到達し、駐車場到達後に公共交通機関を利用していたことを判定する到達判定手段と、
前記到達判定手段により駐車場到達後に公共交通機関を利用していたことを判定した場合に、前記ユーザに付与するインセンティブ情報を生成するインセンティブ情報生成手段と、
を備えた情報処理システムを機能させるために、
上記コンピュータの少なくとも１つを上記手段の少なくとも１つとして機能させるための情報処理プログラム。
【請求項１３】
通信可能に接続された複数のコンピュータによって、
出発地から目的地までのパークアンドライド経路を取得する経路取得手段と、
前記取得した経路に含まれる駐車場にユーザが到達したことを判定する到達判定手段と、
前記到達判定手段により前記駐車場に到達したことを判定した場合に、前記ユーザに付与するインセンティブ情報を生成するインセンティブ情報生成手段と、
を備えた情報処理システムを構成するために、
上記手段の少なくとも１つを備えた情報処理装置。
【請求項１４】
通信可能に接続された複数のコンピュータによって、
出発地から目的地までのユーザの移動履歴を取得する経路取得手段と、
前記取得した移動履歴に基づいて、前記ユーザが駐車場に到達し、駐車場到達後に公共交通機関を利用していたことを判定する到達判定手段と、
前記到達判定手段により駐車場到達後に公共交通機関を利用していたことを判定した場合に、前記ユーザに付与するインセンティブ情報を生成するインセンティブ情報生成手段と、
を備えた情報処理システムを構成するために、
上記手段の少なくとも１つを備えた情報処理装置。
【請求項１５】
経路取得手段が、出発地から目的地までのパークアンドライド経路を取得するステップと、
到達判定手段が、前記取得した経路に含まれる駐車場にユーザが到達したことを判定するステップと、
インセンティブ付与手段が、前記到達判定手段により前記駐車場に到達したことを判定した場合に、前記ユーザに付与するインセンティブ情報を生成するステップと、
を備えた情報処理方法。
【請求項１６】
経路取得手段が、出発地から目的地までのユーザの移動履歴を取得するステップと、
到達判定手段が、前記取得した移動履歴に基づいて、前記ユーザが駐車場に到達し、駐車場到達後に公共交通機関を利用していたことを判定するステップと、
インセンティブ付与手段が、前記到達判定手段により駐車場到達後に公共交通機関を利用していたことを判定した場合に、前記ユーザに付与するインセンティブ情報を生成するステップと、
を備えた情報処理方法。
【発明の詳細な説明】
【技術分野】
【０００１】
本発明は、情報処理システム、情報処理プログラム、情報処理装置および情報処理方法に関する。
【背景技術】
【０００２】
従来から、出発地から駅やバス停留所周辺の駐車場まで自動車で移動し、当該駐車場に自動車を駐車させたのち、鉄道やバスなどの公共交通機関を利用して目的地へと向かうパークアンドライドという移動方法が知られている。
【０００３】
このようなパークアンドライドに関連する技術として、特許文献１には、ユーザが駐車場で受け取れる割引などの特典情報を見ながらパークアンドライドで利用する駐車場を自由に選択することが可能であり、選択された駐車場を目的地または経由地に設定してパークアンドライド経路を探索するナビゲーション装置が開示されている。
【先行技術文献】
【特許文献】
【０００４】
【特許文献１】特開２０１２−１５０１２７号公報
【発明の概要】
【発明が解決しようとする課題】
【０００５】
ところで、現在、自動車で走行した距離に応じてユーザにポイントを付与するサービスが提案されているが、これまでのサービスでは、駐車場から目的地までの公共交通機関を利用した移動に対しては、なんらインセンティブが考慮されていないため、パークアンドライドを利用すると、出発地から目的地までを自動車で移動する場合に比べて、受け取れるポイントが少なくなる。そのため、ユーザにパークアンドライドの利用を促すことにつながっていない。
【０００６】
特許文献１に開示されたナビゲーション装置は、初めからパークアンドライドを利用すると決めているユーザに対して、いくつかのパークアンドライドの候補の中からより有利な条件でパークアンドライドを利用できる機会を与えるものであり、出発地から目的地まで自動車で移動するかそれともパークアンドライドを利用するかを決めかねているユーザに対して、パークアンドライドの利用を促すものではない。
【０００７】
本発明は、ユーザにパークアンドライドの利用を促すことができる情報処理システム、情報処理プログラム、情報処理装置および情報処理方法を提供する。
【課題を解決するための手段】
【０００８】
本発明に係る情報処理システムは、
出発地から目的地までのパークアンドライド経路を取得する経路取得手段と、
前記取得した経路に含まれる駐車場にユーザが到達したことを判定する到達判定手段と、
前記到達判定手段により前記駐車場に到達したことを判定した場合に、前記ユーザに付与するインセンティブ情報を生成するインセンティブ情報生成手段と、
を備える。
【発明の効果】
【０００９】
本発明によれば、ユーザにパークアンドライドの利用を促すことができる。
【図面の簡単な説明】
【００１０】
【図１】図１は、第１の実施形態に係る情報処理システムの概略的な構成を示す図である。
【図２Ａ】図２Ａは、第１の実施形態に係る情報処理システムの動作の一例を説明するための概念図である。
【図２Ｂ】図２Ｂは、第１の実施形態に係る情報処理システムの動作の一例を示すフローチャートである。
【図３】図３は、第１の実施形態の第１の変形例に係る情報処理システムの動作の一例を示すフローチャートである。
【図４】図４は、第１の実施形態の第２の変形例に係る情報処理システムの動作の一例を示すフローチャートである。
【図５】図５は、第１の実施形態の第３の変形例に係る情報処理システムの動作の一例を示すフローチャートである。
【図６】図６は、第１の実施形態の第４の変形例に係る情報処理システムの動作の一例を示すフローチャートである。
【図７】図７は、第１の実施形態の第５の変形例に係る情報処理システムの動作の一例を示すフローチャートである。
【図８】図８は、第２の実施形態に係る情報処理システムの動作の一例を示すフローチャートである。
【発明を実施するための形態】
【００１１】
以下に、添付の図面を参照して、本発明の実施の形態を詳細に説明する。なお、各図において同等の機能を有する構成要素には同一の符号を付し、同一符号の構成要素の詳しい説明は繰り返さない。
【００１２】
（第１の実施形態）
第１の実施形態に係る情報処理システムについて説明する。図１は、第１の実施形態に係る情報処理システム１の概略的な構成を示す図である。
【００１３】
図１に示すように、情報処理システム１は、端末装置２と、サーバ３とを備えている。端末装置２とサーバ３とは、インターネット等のネットワーク４を介して互いに通信可能に接続されている。ネットワーク４は、無線回線を含むのであれば、回線の種類や形態は問わない。なお、端末装置２およびサーバ３の少なくとも一部は、コンピュータにより実現される。
【００１４】
端末装置２は、少なくとも自動車での移動の際にユーザとともに移動するものであり、たとえば、スマートフォンやタブレット端末などのモバイル端末、ノートブックコンピュータ、カーナビゲーション装置、またはＧＰＳ（Ｇｌｏｂａｌ  Ｐｏｓｉｔｉｏｎｉｎｇ  Ｓｙｓｔｅｍ）ロガー（単にＧＰＳの測位情報を記録する装置）である。
【００１５】
図１に示すように、端末装置２は、端末通信部２１と、端末制御部２２と、端末記憶部２３と、端末入力部２４と、端末出力部２５とを有している。まず、端末装置２の構成要素のうち、端末制御部２２以外の構成要素、すなわち、端末通信部２１、端末記憶部２３、端末入力部２４および端末出力部２５について説明する。
【００１６】
端末通信部２１は、端末装置２とネットワーク４との間の通信インターフェースである。端末通信部２１は、ネットワーク４を介して端末装置２とサーバ３との間で情報を送受信する。なお、端末通信部２１は、ユーザのＩＣカードから公共交通機関の乗車履歴を取得したり、自動改札機からの入退場情報を取得したりすることが可能なＮＦＣ（Ｎｅａｒ  Ｆｉｅｌｄ  Ｃｏｍｍｕｎｉｃａｔｉｏｎ）機能などの近距離無線通信機能を備えていてもよい。
【００１７】
端末記憶部２３は、たとえば内蔵メモリや外部メモリ（ＳＤメモリカード等）などのデータストレージである。端末記憶部２３には、端末制御部２２が取り扱う各種データが記憶される。端末記憶部２３は、必ずしも端末装置２内に設けられていなくてもよく、ネットワーク４を介して端末装置２と通信可能に接続された別の装置（たとえば、サーバ）内に設けられていてもよい。
【００１８】
端末入力部２４は、ユーザが端末装置２に情報を入力するためのインターフェースであり、たとえばモバイル端末におけるタッチパネルやマイクロフォン、タッチパッドもしくはダイヤルボタンであってもよい。
【００１９】
端末出力部２５は、端末装置２からユーザに対して各種情報を出力するインターフェースであり、たとえば液晶ディスプレイ等の映像表示手段である。具体的には、たとえば、端末出力部２５は、ユーザからの操作を受け付けるためのＧＵＩ（Ｇｒａｐｈｉｃａｌ  Ｕｓｅｒ  Ｉｎｔｅｒｆａｃｅ）を表示する。端末出力部２５は、各種情報を音声出力するスピーカであってもよい。
【００２０】
次に、端末制御部２２について説明する。端末制御部２２は、図１に示すように、位置測位部２２１を有している。
【００２１】
位置測位部２２１は、端末装置２の現在位置を測位する。位置測位部２２１は、たとえば、ＧＰＳ、ビーコンなどの電波航法手段による測位情報に基づいて現在位置を測位する。位置測位部２２１は、加速度センサや地磁気センサなどの自律航法手段による測位情報を測位に用いてもよい。なお、これらの加速度センサや地磁気センサは、現在位置を測位するだけでなく、ユーザの歩数を検知することに用いられてもよい。
【００２２】
本実施形態では、端末装置２は、少なくとも自動車での移動の際にユーザとともに移動するものであるから、位置測位部２２１により測位した位置情報は、少なくとも自動車での移動時におけるユーザの位置情報を示すものである。
【００２３】
端末制御部２２は、位置測位部２２１により測位した位置情報を、端末通信部２１を通じてサーバ３に送信する。端末装置２から送信された測位情報は、サーバ３に記憶される。サーバ３に複数の位置情報が記憶されることで、ユーザの移動履歴情報が形成される。
【００２４】
次に、サーバ３について説明する。図１に示すように、サーバ３は、サーバ通信部３１と、サーバ制御部３２と、サーバ記憶部３３とを有している。
【００２５】
このうちサーバ通信部３１は、サーバ３とネットワーク４との間の通信インターフェースである。サーバ通信部３１は、ネットワーク４を介して端末装置２とサーバ３との間で情報を送受信する。なお、サーバ通信部３１は、鉄道会社のサーバ等の他のサーバからユーザの公共交通機関の乗車履歴を受信してもよい。
【００２６】
サーバ制御部３２は、経路取得手段の一例である経路取得部３２１と、到達判定手段の一例である到達判定部３２２と、インセンティブ情報生成手段の一例であるインセンティブ情報生成部３２３とを有している。これらの各部は、サーバ３内のプロセッサが所定のプログラムを実行することにより実現されてもよい。これらの各部については、後述する。
【００２７】
サーバ記憶部３３は、たとえばハードディスク等の固定型データストレージである。サーバ記憶部３３には、サーバ制御部３２が取り扱う各種データが記憶される。たとえば、サーバ記憶部３３には、経路ネットワーク情報と、経路ネットワーク情報に対応する地図を示す地図情報と、複数の測位情報により特定される移動履歴を示す移動履歴情報と、インセンティブ情報生成手段により生成されたインセンティブ情報とが記憶される。
【００２８】
経路ネットワーク情報とは、移動手段の経路ネットワークを示す情報である。経路ネットワークは、複数のノードと、複数のノード間を接続するリンクとを含む。たとえば、経路ネットワーク情報は、自動車用の道路ネットワーク、徒歩用の道路ネットワーク、自転車用の道路ネットワーク、公共交通機関（たとえば、電車、バス、船舶、および航空機等）の交通ネットワークを示す。
【００２９】
インセンティブ情報とは、目的地に向かって自動車で移動するユーザに、パークアンドライドの利用を促すためのものである。たとえば、目的地周辺の道路の混雑緩和を推奨するために、駅やバス停留所周辺の駐車場に自動車を駐車したのち、公共交通機関を利用して目的地へと移動することで混雑回避に貢献したユーザに、インセンティブが付与される。インセンティブの具体的な態様は特に限定されず、たとえば、マイル、ポイント、駐車料金の割引およびクーポンなどの金銭的価値のあるものであってもよい。インセンティブがポイントの場合、ポイントは、たとえば、情報処理システムの保有者（すなわち、自社）が提供する商品やサービスに専用の自社専用ポイント、情報処理システムの保有者以外の者（すなわち、他社）が提供する商品やサービスに適用される他社用ポイント、他社用ポイントに還元可能なポイント、または、懸賞用のポイントなどであってもよい。
【００３０】
インセンティブ情報は、ユーザの識別情報やインセンティブ付与の理由となったパークアンドライドなどの情報と対応付けられた情報でサーバ記憶部３３に記憶されてもよい。サーバ３は、サーバ記憶部３３に記憶されたインセンティブが、これを適用可能なサービスに利用されたときに、利用されたインセンティブを減少させる。
【００３１】
なお、サーバ記憶部３３は、必ずしもサーバ３内に設けられなくてもよく、ネットワーク４を介してサーバ３と通信可能に接続された別の装置内に設けられてもよい。
（動作の一例）
【００３２】
次に、このような構成からなる情報処理システム１の動作の一例について、図２Ａおよび図２Ｂを参照して説明する。図２Ａは、情報処理システム１の動作の一例を説明するための概念図である。図２Ｂは、情報処理システム１の動作の一例を示すフローチャートである。
【００３３】
まず、図２Ａおよび図２Ｂに示すように、サーバ制御部３２が、パークアンドライド経路を探索する（ステップＳ１１）。具体的には、たとえば、サーバ制御部３２は、端末装置２から送信される現在位置（出発地Ｓ）や目的地Ｇなどの経路探索条件を、サーバ通信部３１を通じて取得する。サーバ制御部３２は、サーバ記憶部３３に記憶された経路ネットワーク情報に基づいて、経路探索条件を満たすようなパークアンドライド経路を含む移動経路を探索する。サーバ制御部３２は、探索された移動経路のうち最適経路を、サーバ通信部３１を通じて端末装置２に送信する。
【００３４】
端末制御部２２は、サーバ３から送信された最適経路を、端末出力部２５においてユーザに提示する。提示された最適経路の中からパークアンドライド経路がユーザにより選択されると、端末制御部２２は、選択されたパークアンドライド経路を、端末通信部２１を通じてサーバ３に送信する。
【００３５】
経路取得部３２１は、端末装置２から送信されたパークアンドライド経路を、サーバ通信部３１を通じて取得する（ステップＳ１２）。経路取得部３２１は、サーバ記憶部３３に記憶された地図情報に基づいて、取得したパークアンドライド経路上の駐車場Ｋを特定する。
【００３６】
サーバ制御部３２は、取得したパークアンドライド経路に基づいて、特定された駐車場Ｋまでの案内（ナビゲーション）を開始する（ステップＳ１３）。具体的には、たとえば、サーバ制御部３２は、駐車場Ｋまでのナビゲーション情報を、サーバ通信部３１を通じて端末装置２に送信する。端末制御部２２は、サーバ３から送信されたナビゲーション情報を、端末出力部２５においてユーザに提示する。
【００３７】
また、端末制御部２２は、位置測位部２２１の測位情報（すなわちユーザの位置情報）を、端末通信部２１を通じてサーバ３に送信する。サーバ制御部３２は、端末装置２から送信された位置情報を、サーバ通信部３１を通じて取得して、サーバ記憶部３３に記憶する。サーバ記憶部３３に複数の位置情報が記憶されることにより、ユーザの移動履歴情報が形成される。
【００３８】
到達判定部３２２は、パークアンドライド経路に含まれる駐車場Ｋにユーザが到達したことを判定する（ステップＳ１４）。より詳しくは、到達判定部３２２は、パークアンドライド経路から特定される駐車場Ｋの位置情報とユーザの位置情報との比較に基づいて、当該駐車場Ｋにユーザが到達したことを判定する。到達判定部３２２による駐車判定は、単なる駐車場付近の通過や駐車場付近での信号待ちなどを駐車したと判定しないものであれば、その具体的な態様は問わない。たとえば、到達判定部３２２は、パークアンドライド経路から特定される駐車場Ｋの位置とユーザの位置との間の直線距離を算出し、算出した直線距離が予め定められた閾値（たとえば１０ｍ）より短くなったら、駐車場Ｋにユーザが到達したと判定する。あるいは、到達判定部３２２は、駐車場Ｋの領域にユーザの位置が含まれた場合、ユーザが駐車場Ｋに駐車したと判定してもよい。到達判定部３２２は、駐車場Ｋに備えられているビーコンなどから情報を受信することで、ユーザが駐車場Ｋに入場したことを判定してもよい。到達判定部３２２は、ユーザがエンジンをオフにした情報を車両側から取得し、その車両の位置が駐車場Ｋの領域であると判断できる場合、ユーザが駐車場Ｋに駐車したことを判定してもよい。到達判定部３２２は、ユーザの移動手段が自動車から別の移動手段に切り替わった場合、その切り替わった地点を駐車場Ｋとして駐車判定してもよい。
【００３９】
駐車場Ｋにユーザが到達したと判定された場合（ステップＳ１５：Ｙｅｓ）、インセンティブ情報生成部３２３は、パークアンドライド経路から特定される、駐車場Ｋから目的地Ｇまでの自動車以外の移動手段による移動距離を算出する（ステップＳ１６）。より詳しくは、たとえば、インセンティブ情報生成部３２３は、サーバ記憶部３３に記憶された徒歩用の道路ネットワーク情報に基づいて、駐車場Ｋから乗車駅までの徒歩での移動距離（第１移動距離）を算出し、サーバ記憶部３３に記憶された公共交通機関の交通ネットワーク情報に基づいて、乗車駅から降車駅までの公共交通機関での移動距離（第２移動距離）を算出し、サーバ記憶部３３に記憶された徒歩用の道路ネットワーク情報に基づいて、降車駅から目的地Ｇまでの徒歩での移動距離（第３移動距離）を算出する。そして、インセンティブ情報生成部３２３は、第１〜第３移動距離を合算する。なお、図２Ｂに示す例では、駐車場Ｋから目的地Ｇまでの移動距離が、到達判定部３２２による駐車判定（ステップＳ１５）の後に算出されるが、本実施の形態はこれに限定されない。たとえば、駐車場Ｋから目的地Ｇまでの移動距離が、パークアンドライド経路の探索時（ステップＳ１１）に算出されてもよいし、ユーザの自動車での走行中（ステップＳ１３〜Ｓ１５）に算出されてもよい。
【００４０】
インセンティブ情報生成部３２３は、算出した自動車以外の移動手段による移動距離（第１〜第３移動距離を合算した距離）に基づいて、ユーザに付与するインセンティブ情報を生成する（ステップＳ１７）。インセンティブ情報を生成するタイミングは、（１）到達判定部３２２が駐車判定した後からユーザが目的地Ｇに到着するまでの間であってもよいし、（２）ユーザが目的地Ｇに到着した後から駐車場Ｋに戻ってくるまでの間であってもよいし、（３）ユーザが目的地Ｇから駐車場Ｋに戻ってきた後であってもよい。目的地Ｇに到着した後にインセンティブ情報を生成する場合（上記（２）または（３）の場合）、インセンティブ情報生成部３２３は、ユーザが実際に移動した移動ログ（移動履歴情報）に基づいて駐車場Ｋから目的地Ｇまでの移動距離を算出し、当該移動距離に基づいてインセンティブ情報を生成してもよい。インセンティブ情報生成手段３２３は、ユーザの移動履歴情報を参照し、駐車場Ｋから目的地Ｇまでを自動車以外の移動手段で移動した場合には、駐車場Ｋから目的地Ｇまでを自動車で移動する場合よりも多くのインセンティブが付与されるように、インセンティブ情報を生成するのが望ましい。また、インセンティブ情報生成部３２３は、駐車場Ｋから目的地Ｇまでの移動距離に対応する往路分のインセンティブ情報を生成してもよいし、駐車場Ｋから目的地Ｇまでの移動距離の２倍の距離に対応する往復分のインセンティブ情報を生成してもよい。インセンティブ情報生成部３２３は、生成したインセンティブ情報を、サーバ記憶部３３に記憶する。
【００４１】
一方、駐車場Ｋにユーザが到達したと判定されなかった場合（ステップＳ１５：Ｎｏ）、インセンティブ情報生成部３２３は、インセンティブ情報を生成せずに処理を終了する。
【００４２】
ところで、発明が解決しようとする課題の欄でも言及したように、自動車で走行した距離に応じてユーザにポイントを付与するこれまでのサービスでは、駐車場Ｋから目的地Ｇまでの公共交通機関を利用した移動に対しては、なんらインセンティブが考慮されていないため、パークアンドライドを利用すると、出発地Ｓから目的地Ｇまでを自動車で移動する場合に比べて、受け取れるポイントが少なくなる。そのため、ユーザにパークアンドライドの利用を促すことにつながっていない。
【００４３】
これに対し、第１の実施形態によれば、図２Ａに示すように、パークアンドライド経路から特定される駐車場Ｋにユーザが到達した場合に、ユーザに付与するインセンティブ情報が生成される。このインセンティブ情報は、出発地Ｓから駐車場Ｋまでの自動車での移動に対して付与されるインセンティブとは別に生成されるものであるから、駐車場Ｋから目的地Ｇまで公共交通機関を利用して移動することに対して付与されるインセンティブであるとみなすことができる。すなわち、パークアンドライドを利用するユーザは、駐車場Ｋから目的地Ｇまで公共交通機関を利用して移動することに対してインセンティブを受け取ることができる。したがって、ユーザにパークアンドライドの利用を促すことができ、パークアンドアイドライドの利用数が増加することで渋滞緩和などに貢献できる。
【００４４】
（第１の変形例）
第１の変形例について、図３を参照して説明する。図３は、第１の変形例に係る情報処理システム１の動作の一例を示すフローチャートである。到達判定部３２２が駐車場に到達したことを判定するまでの工程（ステップＳ１１〜Ｓ１５）は、上述の実施形態と同様であり、説明を省略する。
【００４５】
図３に示すように、第１の変形例では、駐車場にユーザが到達したと判定された場合（ステップＳ１５：Ｙｅｓ）、インセンティブ情報生成部３２３は、駐車場から目的地までを自動車で移動した場合の走行距離を算出する（ステップＳ１６１）。より詳しくは、たとえば、インセンティブ情報生成部３２３は、サーバ記憶部３３に記憶された自動車用の道路ネットワーク情報に基づいて、駐車場から目的地までの自動車での走行距離を算出する。そして、インセンティブ情報生成部３２３は、算出した走行距離に基づいて、ユーザに付与するインセンティブ情報を生成する（ステップＳ１７１）。インセンティブ情報生成部３２３は、生成したインセンティブ情報を、サーバ記憶部３３に記憶する。
【００４６】
ところで、たとえばスマートフォン用のプログラム（アプリ）では、自動車を利用した移動のためのナビゲーションプログラム（いわゆるカーナビゲーション）と、公共交通機関を利用した移動のためのナビゲーションプログラム（いわゆる乗換案内）とが、互いに独立して存在することがある。この場合、上述の実施形態では、目的地から駐車場までの移動に対してはカーナビゲーションでポイントが生成され、駐車場から目的地までの移動に対しては乗換案内でポイントが生成されるため、生成されたポイントをまとめて管理することができない。
【００４７】
これに対し、第１の変形例によれば、駐車場から目的地までの移動に対してもカーナビゲーションでポイントが生成されるため、生成されたポイントをまとめて管理することができて便利である。
【００４８】
（第２の変形例）
第２の変形例について、図４を参照して説明する。図４は、第２の変形例に係る情報処理システム１の動作の一例を示すフローチャートである。到達判定部３２２が駐車場に到達したことを判定するまでの工程（ステップＳ１１〜Ｓ１５）は、上述の実施形態と同様であり、説明を省略する。
【００４９】
図４に示すように、第２の変形例では、駐車場にユーザが到達したと判定された場合（ステップＳ１５：Ｙｅｓ）、インセンティブ情報生成部３２３は、予め定められた大きさのインセンティブ情報（たとえば、５０ポイント）を生成する（ステップＳ１６２）。インセンティブ情報生成部３２３は、生成したインセンティブ情報を、サーバ記憶部３３に記憶する。
【００５０】
第２の変形例によれば、第１の変形例と同様に、駐車場から目的地までの移動に対してカーナビゲーションでポイントを生成することができるため、生成されたポイントをまとめて管理することができて便利である。
【００５１】
（第３の変形例）
第３の変形例について、図５を参照して説明する。図５は、第３の変形例に係る情報処理システム１の動作の一例を示すフローチャートである。到達判定部３２２が駐車場に到達したことを判定するまでの工程（ステップＳ１１〜Ｓ１５）は、上述の実施形態と同様であり、説明を省略する。
【００５２】
図５に示すように、第３の変形例では、駐車場にユーザが到達したと判定された場合（ステップＳ１５：Ｙｅｓ）、インセンティブ情報生成部３２３は、出発地から目的地まで自動車で移動した場合の走行距離を算出する（ステップＳ１６３）。より詳しくは、たとえば、インセンティブ情報生成部３２３は、サーバ記憶部３３に記憶された自動車用の道路ネットワーク情報に基づいて、出発地から目的地までの自動車での走行距離を算出する。そして、インセンティブ情報生成部３２３は、算出した走行距離に基づいて、ユーザに付与するインセンティブ情報を生成する（ステップＳ１７３）。インセンティブ情報生成部３２３は、生成したインセンティブ情報を、サーバ記憶部３３に記憶する。
【００５３】
第３の変形例によれば、パークアンドライドを利用したユーザに対して、出発地から目的地までを自動車で移動した場合と同じインセンティブが付与される。これにより、出発地から目的地まで自動車で移動するかそれともパークアンドライドを利用するかを決めかねているユーザが、パークアンドライドの利用を控える理由として、パークアンドライドを利用すると受け取れるインセンティブが少なくなるという理屈が成り立たなくなる。したがって、ユーザにパークアンドライドの利用を促すことができる。
【００５４】
（第４の変形例）
第４の変形例について、図６を参照して説明する。図６は、第４の変形例に係る情報処理システム１の動作の一例を示すフローチャートである。
【００５５】
図６に示すように、第４の変形例では、ユーザが自動車で走行している途中で、サーバ制御部３２が、目的地または目的地付近の駐車場の満空情報を取得する（ステップＳ１０４）。目的地または目的地付近の駐車場に空きがなかった場合、サーバ制御部３２は、サーバ記憶部３３に記憶された経路ネットワーク情報に基づいて、現在位置から目的地までのパークアンドライド経路を探索する。サーバ制御部３２は、探索されたパークアンドライド経路を、サーバ通信部３１を通じて端末装置２に送信する。
【００５６】
端末制御部２２は、サーバ３から送信されたパークアンドライド経路を、端末出力部２５においてユーザに提示する。提示されたパークアンドライド経路がユーザにより選択（採用）されると、端末制御部２２は、選択されたパークアンドライド経路を、端末通信部２１を通じてサーバ３に送信する。
【００５７】
経路取得部３２１がパークアンドライド経路を取得する工程（ステップＳ１１）から、到達判定部３２２が駐車場に到達したことを判定する工程（ステップＳ１５）までは、上述の実施形態と同様であり、説明を省略する。
【００５８】
図６に示すように、第４の変形例では、駐車場にユーザが到達したと判定された場合（ステップＳ１５：Ｙｅｓ）、インセンティブ情報生成部３２３は、目的地または目的地付近の駐車場の満空情報を考慮して、インセンティブ情報を生成する（ステップＳ１６４）。たとえば、目的地または目的地付近の駐車場に空きがなかった場合、インセンティブ情報生成部３２３は、通常のインセンティブ情報より大きい（割増の）インセンティブ情報を生成する。ここで、通常のインセンティブ情報は、（１）上述した実施形態（図２Ｂ参照）のステップＳ１６、Ｓ１７と同様に、駐車場から目的地までの自動車以外の移動手段（公共交通機関や徒歩）による移動距離に基づいて算出されてもよいし、（２）第１の変形例（図３参照）のステップＳ１６１、Ｓ１７１と同様に、駐車場から目的地まで自動車で移動した場合の走行距離に基づいて算出されてもよいし、（３）第２の変形例（図４参照）のステップＳ１６２と同様に、予め定められた大きさで生成されてもよい。インセンティブ情報生成部３２３は、生成されたインセンティブ情報を、サーバ記憶部３３に記憶する。
【００５９】
第４の変形例によれば、目的地または目的地付近の駐車場の満空情報を考慮してインセンティブ情報が生成されるため、目的地または目的地付近の駐車場に空きがなかった場合にパークアンドライドの利用を効果的に促すことができる。これにより、目的地または目的地付近の駐車場待ちの行列を減らすことができ、目的地周辺の道路の混雑緩和に貢献できる。
【００６０】
（第５の変形例）
第５の変形例について、図７を参照して説明する。図７は、第５の変形例に係る情報処理システム１の動作の一例を示すフローチャートである。
【００６１】
図７に示すように、第５の変形例では、ユーザが自動車で走行している途中で、サーバ制御部３２が、目的地に至る経路上の交通状況を取得する（ステップＳ１０５）。たとえば、交通状況情報は、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）情報、プローブ情報、および公共交通機関が提供する情報の少なくとも１つから得られる交通状況を示す情報である。たとえば、目的地に至る道路が混雑している場合、あるいはイベントなど（花火大会など）で目的地から帰る時間帯に目的地周辺の道路の混雑が予測される場合には、サーバ制御部３２は、サーバ記憶部３３に記憶された経路ネットワーク情報に基づいて、現在位置から目的地までのパークアンドライド経路を探索する。サーバ制御部３２は、探索されたパークアンドライド経路を、サーバ通信部３１を通じて端末装置２に送信する。
【００６２】
端末制御部２２は、サーバ３から送信されたパークアンドライド経路を、端末出力部２５においてユーザに提示する。提示されたパークアンドライド経路がユーザにより選択（採用）されると、端末制御部２２は、選択されたパークアンドライド経路を、端末通信部２１を通じてサーバ３に送信する。
【００６３】
経路取得部３２１がパークアンドライド経路を取得する工程（ステップＳ１１）から、到達判定部３２２が駐車場に到達したことを判定する工程（ステップＳ１５）までは、上述の実施形態と同様であり、説明を省略する。
【００６４】
図７に示すように、第５の変形例では、駐車場にユーザが到達したと判定された場合（ステップＳ１５：Ｙｅｓ）、インセンティブ情報生成部３２３は、目的地に至る経路上の交通状況を考慮して、インセンティブ情報を生成する（ステップＳ１６５）。たとえば、目的地に至る道路が混雑している場合、あるいはイベントなど（花火大会など）で目的地から帰る時間帯に目的地周辺の道路の混雑が予測される場合、インセンティブ情報生成部３２３は、通常のインセンティブ情報より大きい（割増の）インセンティブ情報を生成する。ここで、通常のインセンティブ情報は、（１）図２ＢのステップＳ１６、Ｓ１７と同様に、駐車場から目的地までの自動車以外の移動手段（公共交通機関や徒歩）による移動距離に基づいて算出されてもよいし、（２）図３のステップＳ１６１、Ｓ１７１と同様に、駐車場から目的地まで自動車で移動した場合の走行距離に基づいて算出されてもよいし、（３）図４のステップＳ１６２と同様に、予め定められた大きさで生成されてもよい。インセンティブ情報生成部３２３は、生成されたインセンティブ情報を、サーバ記憶部３３に記憶する。
【００６５】
第５の変形例によれば、目的地に至る経路上の交通状況を考慮してインセンティブ情報が生成されるため、目的地に至る道路が混雑している場合などにパークアンドライドの利用を効果的に促すことができる。これにより、目的地周辺の道路の混雑緩和に貢献できる。
【００６６】
（第２の実施形態）
上述した第１の実施形態では、経路取得手段３３１が、ユーザの経路探索結果に基づいて、パークアンドライド経路を取得する例について説明した。これに対して、第２の実施形態では、経路取得手段３３１が、ユーザの移動履歴に基づいて、パークアンドライド経路を取得する。
【００６７】
第２の実施形態について、図８を参照して説明する。図８は、第２の実施形態に係る情報処理システム１の動作の一例を示すフローチャートである。
【００６８】
まず、図８に示すように、経路取得部３２１は、端末装置２から送信された位置測位部２２１の測位情報（すなわちユーザの位置情報）に基づいて、ユーザの移動履歴情報を取得する（ステップＳ２１）。より詳しくは、たとえば、経路取得部３２１は、端末装置２から送信された位置測位部２２１の測位情報を、サーバ通信部３１を通じて取得して、サーバ記憶部３３に記憶する。サーバ記憶部３３に複数の測位情報が記憶されることにより、ユーザの移動履歴情報が形成される。
【００６９】
次に、到達判定部３２２は、ユーザの移動履歴情報（ユーザの位置情報の集まり）と駐車場の位置情報との比較に基づいて、ユーザが駐車場に到達していたことを判定する（ステップＳ２２）。到達判定部３２２による駐車判定は、単なる駐車場付近の通過や駐車場付近での信号待ちなどを駐車したと判定しないものであれば、その具体的な態様は問わない。たとえば、到達判定部３２２は、サーバ記憶部３３に記憶された経路ネットワーク情報に基づいて、駐車場の位置とユーザの位置との間の直線距離を算出し、算出した直線距離が予め定められた閾値（たとえば１０ｍ）より短くなったら、駐車場にユーザが到達していたと判定する。あるいは、到達判定部３２２は、駐車場の領域にユーザの位置が含まれた場合、ユーザが駐車場に駐車したと判定してもよい。到達判定部３２２は、駐車場に備えられているビーコンなどから情報を受信したという記録が残されていた場合に、ユーザが駐車場に入場したことを判定してもよい。到達判定部３２２は、ユーザがエンジンをオフにした情報が記録として残されていて、オフにした時の車両の位置が駐車場の領域であると判断できる場合に、ユーザが駐車場に駐車したことを判定してもよい。到達判定部３２２は、ユーザの移動手段が自動車から別の移動手段に切り替わった場合、その切り替わった地点を駐車場として駐車判定してもよい。
【００７０】
ユーザが駐車場に到達していたと判定された場合（ステップＳ２３：Ｙｅｓ）、到達判定部３２２は、ユーザの移動履歴情報に基づいて、駐車場到達後に公共交通機関が利用されたことを判定する（ステップＳ２４）。たとえば、到達判定部３２２は、ユーザが駐車場に到達した後に、駐車場周辺の駅の自動改札機から入場したという情報を、鉄道会社のサーバから取得することで、公共交通機関が利用されたことを判定する。
【００７１】
駐車場到達後に公共交通機関が利用されたと判定された場合（ステップＳ２５：Ｙｅｓ）、インセンティブ情報生成部３２３は、経路取得部３２１により取得されたユーザの移動履歴情報を、パークアンドライド経路であるとみなす（ステップＳ２６）。
【００７２】
次に、インセンティブ情報生成部３２３は、インセンティブ情報を生成する（ステップＳ２７）。ここで、インセンティブ情報は、（１）図２ＢのステップＳ１６、Ｓ１７と同様に、駐車場から目的地までの自動車以外の移動手段（公共交通機関や徒歩）による移動距離に基づいて算出されてもよいし、（２）図３のステップＳ１６１、Ｓ１７１と同様に、駐車場から目的地まで自動車で移動した場合の走行距離に基づいて算出されてもよいし、（３）図４のステップＳ１６２と同様に、予め定められた大きさで生成されてもよい。インセンティブ情報生成部３２３は、生成されたインセンティブ情報を、サーバ記憶部３３に記憶する。
【００７３】
一方、ユーザが駐車場に到達していたと判定されなかった場合（ステップＳ２３：Ｙｅｓ）、または公共交通機関が利用されなかったと判定された場合（ステップＳ２５：Ｎｏ）、インセンティブ情報生成部３２３は、インセンティブ情報を生成せずに処理を終了する。
【００７４】
以上のような第２の実施形態によれば、第１の実施形態と同様に、パークアンドライド経路から特定される駐車場にユーザが到達した場合に、ユーザに付与するインセンティブ情報が生成される。このインセンティブ情報は、出発地から駐車場までの自動車での移動に対して付与されるインセンティブとは別に生成されるものであるから、駐車場から目的地まで公共交通機関を利用して移動することに対して付与されるインセンティブであるとみなすことができる。すなわち、パークアンドライドを利用するユーザは、駐車場から目的地まで公共交通機関を利用して移動することに対してインセンティブを受け取ることができる。したがって、ユーザにパークアンドライドの利用を促すことができ、パークアンドアイドライドの利用数が増加することで渋滞緩和などに貢献できる。
【００７５】
なお、上述した実施形態で説明した情報処理システム１の少なくとも一部は、ハードウェアで構成してもよいし、ソフトウェアで構成してもよい。ハードウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７６】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７７】
さらに、一つまたは複数の情報処理装置によって情報処理システム１を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【００７８】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【００７９】
上記の記載に基づいて、当業者であれば、本発明の追加の効果や様々の変形を想到できるかもしれないが、本発明の態様は、上述した個々の実施形態に限定されるものではない。特許請求の範囲に規定された内容およびその均等物から導き出される本発明の概念的な思想と趣旨を逸脱しない範囲で種々の追加、変更および部分的削除が可能である。
【符号の説明】
【００８０】
１      情報処理システム
２      端末装置
２１    端末通信部
２２    端末制御部
２２１  位置測位部
２３    端末記憶部
２４    端末入力部
２５    端末出力部
３      サーバ
３１    サーバ通信部
３２    サーバ制御部
３２１  経路取得部
３２２  到達判定部
３２３  インセンティブ情報生成部
３３    サーバ記憶部
４      ネットワーク
【図１】
2018081022.tif 000003
【図２Ａ】
2018081022.tif 000004
【図２Ｂ】
2018081022.tif 000005
【図３】
2018081022.tif 000006
【図４】
2018081022.tif 000007
【図５】
2018081022.tif 000008
【図６】
2018081022.tif 000009
【図７】
2018081022.tif 000010
【図８】
2018081022.tif 000011